(57)【要約】  トロンボーンのスライド位置を示すためのデバイス、システム、及び方法が開示される。すなわち、トロンボーンのスライド位置インジケータが提供される。一部の実施形態において、トロンボーンのスライド位置インジケータは、トロンボーンの外側スライドに対して固定位置に取り付けられたスライド位置ロッドを含む。さらに、複数の（例えば、７つの）スライド位置インジケータがスライド位置ロッドの長さに沿って設けられ、スライド位置インジケータの位置が、あるピッチ又は楽音に対応する。センサガイドが外側スライドに取り付けられ、センサガイドは、外側スライドと共に、固定されたスライド位置ロッドに対して動く。センサガイドは、スライド位置ロッドに沿ったスライド位置インジケータのいずれかへの近接を検出する及び／又は示すための機構を含む。さらに、トロンボーンのスライド位置インジケータを使用する方法が提供される。
2019517013.tif 000002
【特許請求の範囲】
【請求項１】
トロンボーンの外側スライドに対して固定位置に取り付けられたトロンボーンのスライド位置ロッドを含み、複数のスライド位置インジケータが前記スライド位置ロッドの長さに沿って設けられ、前記スライド位置インジケータの位置が、所与のトロンボーンのスライド位置に関連付けられたあるピッチ又は楽音に対応する、トロンボーンのスライド位置インジケータデバイス。
【請求項２】
外側スライドに取り付けられたセンサガイドをさらに含み、前記センサガイドが、前記外側スライドと共に、固定されたスライド位置ロッドに対して動き、前記センサガイドが、前記スライド位置ロッドに沿ったスライド位置インジケータのいずれかへの近接を検出する及び／又は示すための機構を含む、請求項１に記載のトロンボーンのスライド位置インジケータデバイス。
【請求項３】
センサガイドが、磁力を使用して触覚インジケータを生じさせる、請求項２に記載のトロンボーンのスライド位置インジケータデバイス。
【請求項４】
センサガイドが、スライド位置ロッドに沿ったスライド位置インジケータのいずれかに近接して通るときに、ユーザに対して触覚的及び／又は視覚的な手掛かりを生じさせるように構成される、請求項３に記載のトロンボーンのスライド位置インジケータデバイス。
【請求項５】
センサガイドがさらに前取付具の上に接続される、請求項４に記載のトロンボーンのスライド位置インジケータデバイス。
【請求項６】
スライド位置ロッドの近位端を保持するためのロッド装着金具がさらに設けられ、前記ロッド装着金具が後取付具の上に接続される、請求項５に記載のトロンボーンのスライド位置インジケータデバイス。
【請求項７】
スライドストップがスライド位置ロッドの遠位端にさらに設けられる、請求項６に記載のトロンボーンのスライド位置インジケータデバイス。
【請求項８】
スライド位置ロッドの長さに沿って設けられた複数のスライド位置インジケータが、最大で７つのスライド位置インジケータを含む、請求項７に記載のトロンボーンのスライド位置インジケータデバイス。
【請求項９】
トロンボーンが、ベル、チューニングスライド、ベルブレース、マウスピース、マウスピースレシーバ、スライドレシーバ、第１のスライドブレース、第２のスライドブレース、内側スライド、及び外側スライドを含む、請求項１〜８のいずれかに記載のトロンボーンのスライド位置インジケータデバイス。
【請求項１０】
後取付具がマウスピースレシーバ及び第１のスライドブレースに締結され、これにより、後取付具をマウスピースに対して固定位置に保持する、請求項９に記載のトロンボーンのスライド位置インジケータデバイス。
【請求項１１】
スライド位置ロッドの近位端を保持するロッド装着金具が後取付具に接続され、これにより、前記スライド位置ロッドをマウスピースに対して固定位置に保持する、請求項１０に記載のトロンボーンのスライド位置インジケータデバイス。
【請求項１２】
前取付具が第２のスライドブレースで外側スライドに締結され、前記前取付具が、前記外側スライドと共にマウスピースに対して可動である、請求項１１に記載のトロンボーンのスライド位置インジケータデバイス。
【請求項１３】
スライド位置ロッドが、後取付具によって一端で支持され、センサガイドの中央部を貫通する、請求項１２に記載のトロンボーンのスライド位置インジケータデバイス。
【請求項１４】
前取付具及び後取付具が、外側スライドに略平行なスライド位置ロッドを保持する、請求項１３に記載のトロンボーンのスライド位置インジケータデバイス。
【請求項１５】
センサガイドが、ユーザがトロンボーンの演奏時に外側スライドを動かすときに、前記外側スライドの動きを妨げることなくスライド位置ロッドに沿って摺動するように構成される、請求項１４に記載のトロンボーンのスライド位置インジケータデバイス。
【請求項１６】
センサガイドが磁石をさらに含む、請求項１５に記載のトロンボーンのスライド位置インジケータデバイス。
【請求項１７】
スライド位置ロッドが非強磁性の非磁気応答材料から形成される、請求項１６に記載のトロンボーンのスライド位置インジケータデバイス。
【請求項１８】
スライド位置インジケータが強磁性の磁気応答材料から形成される、請求項１７に記載のトロンボーンのスライド位置インジケータデバイス。
【請求項１９】
磁気応答スライド位置インジケータが、センサガイド内の磁石を通過するときに、ユーザに触覚フィードバックを与えるように構成され、前記触覚フィードバックが、前記磁気応答スライド位置インジケータが前記磁石の磁場に入った後に前記磁場から離れることによるわずかな瞬時の抵抗を含む、請求項１８に記載のトロンボーンのスライド位置インジケータデバイス。
【請求項２０】
スライド位置インジケータが磁石を含む、請求項１５に記載のトロンボーンのスライド位置インジケータデバイス。
【請求項２１】
スライド位置ロッドが非強磁性の非磁気応答材料から形成される、請求項２０に記載のトロンボーンのスライド位置インジケータデバイス。
【請求項２２】
センサガイドが強磁性の磁気応答材料から形成される、請求項２１に記載のトロンボーンのスライド位置インジケータデバイス。
【請求項２３】
磁石を含むスライド位置インジケータが、磁気応答センサガイドが前記スライド位置インジケータを通るときに、ユーザに触覚フィードバックを与えるように構成され、前記触覚フィードバックが、前記磁気応答センサガイドが前記磁石の磁場に入った後に前記磁場から離れることによるわずかな瞬時の抵抗を含む、請求項２２に記載のトロンボーンのスライド位置インジケータデバイス。
【請求項２４】
７つのスライド位置インジケータが、スライド位置ロッドに沿って、あるピッチ又は楽音に略対応する位置に設けられる、請求項１〜２３のいずれかに記載のトロンボーンのスライド位置インジケータデバイス。
【請求項２５】
ロッド装着金具から順に、第１のスライド位置インジケータが、第１のトロンボーンのスライド位置に関連するピッチ又は楽音に対応し、第２のスライド位置インジケータが、第２のトロンボーンのスライド位置に関連するピッチ又は楽音に対応し、第３のスライド位置インジケータが、第３のトロンボーンのスライド位置に関連するピッチ又は楽音に対応し、第４のスライド位置インジケータが、第４のトロンボーンのスライド位置に関連するピッチ又は楽音に対応し、第５のスライド位置インジケータが、第５のトロンボーンのスライド位置に関連するピッチ又は楽音に対応し、第６のスライド位置インジケータが、第６のトロンボーンのスライド位置に関連するピッチ又は楽音に対応し、第７のスライド位置インジケータが、第７のトロンボーンのスライド位置に関連するピッチ又は楽音に対応する、請求項２４に記載のトロンボーンのスライド位置インジケータデバイス。
【請求項２６】
スライドが一番奥にある第１のトロンボーンのスライド位置に対し、前記第１のトロンボーンのスライド位置から第２のスライド位置インジケータまでの距離が約３．２５インチ、前記第１のトロンボーンのスライド位置から第３のスライド位置インジケータまでの距離が約６．７５インチ、前記第１のトロンボーンのスライド位置から第４のスライド位置インジケータまでの距離が約１０．５インチ、前記第１のトロンボーンのスライド位置から第５のスライド位置インジケータまでの距離が約１４．５インチ、前記第１のトロンボーンのスライド位置から第６のスライド位置インジケータまでの距離が約１８．７５インチ、前記第１のトロンボーンのスライド位置から第７のスライド位置インジケータまでの距離が約２３．２５インチである、請求項２４に記載のトロンボーンのスライド位置インジケータデバイス。
【請求項２７】
複数のスライド位置インジケータの位置が、固定されているか、又はスライド位置ロッドに沿って調節可能である、請求項２４に記載のトロンボーンのスライド位置インジケータデバイス。
【請求項２８】
前取付具が、トロンボーンの第２のスライドブレースに留めるための第１の装着クリップと、前記トロンボーンの外側スライドに留めるための第２の装着クリップとを支持するブラケットであり、前記装着クリップが取り外し可能である、請求項９〜２７のいずれかに記載のトロンボーンのスライド位置インジケータデバイス。
【請求項２９】
センサガイドが前取付具と一体化される、請求項２８に記載のトロンボーンのスライド位置インジケータデバイス。
【請求項３０】
センサガイドが、スライド位置ロッドを摺動可能に支持する１組の軸受をさらに含む、請求項２９に記載のトロンボーンのスライド位置インジケータデバイス。
【請求項３１】
センサガイドが、磁石の端部がスライド位置ロッドに近接するように前記磁石を保持するための管部材を含む、請求項３０に記載のトロンボーンのスライド位置インジケータデバイス。
【請求項３２】
スライド位置ロッドが磁石の磁場内にある、請求項３１に記載のトロンボーンのスライド位置インジケータデバイス。
【請求項３３】
後取付具が、トロンボーンの第１のスライドブレースに留めるための第１の装着クリップと、前記トロンボーンのマウスピースレシーバに留めるための第２の装着クリップとを支持するブラケットである、請求項３２に記載のトロンボーンのスライド位置インジケータデバイス。
【請求項３４】
装着クリップが取り外し可能である、請求項３３に記載のトロンボーンのスライド位置インジケータデバイス。
【請求項３５】
ロッド装着金具が割出しボールジョイントを含み、前記割出しボールジョイントがソケットに嵌入するボールを含む、請求項３４に記載のトロンボーンのスライド位置インジケータデバイス。
【請求項３６】
ソケット側のスロットが、さらにボールのガイドピンに嵌合する、請求項３５に記載のトロンボーンのスライド位置インジケータデバイス。
【請求項３７】
ガイドピンがスライド位置ロッドを半径方向に位置合わせして、スライド位置インジケータがセンサガイドの磁石と位置合わせされ、前記磁石を通過するようにする、請求項３６に記載のトロンボーンのスライド位置インジケータデバイス。
【請求項３８】
ロッド装着金具がスイベルジョイントを含む、請求項３４に記載のトロンボーンのスライド位置インジケータデバイス。
【請求項３９】
スロットがスライド位置ロッドに設けられ、非強磁性の非磁気応答スラグが前記スロットに設けられ、強磁性の磁気応答機械ねじがさらに前記スラグにねじ込まれ、これによりスライド位置インジケータを形成する、請求項３４に記載のトロンボーンのスライド位置インジケータデバイス。
【請求項４０】
スラグ及び機械ねじの位置がスロットに沿って調節可能である、請求項３９に記載のトロンボーンのスライド位置インジケータデバイス。
【請求項４１】
ロッド装着金具を受ける後取付具の頂部が、第１の固定側部材と、第２の固定側部材と、前記第１の固定側部材及び前記第２の固定側部材の間に配置された浮動部材とを含む、請求項３４に記載のトロンボーンのスライド位置インジケータデバイス。
【請求項４２】
第１のつまみねじ及び第２のつまみねじが、第１の固定側部材に通され、浮動部材の一側のねじなしポケットに嵌合する、請求項４１に記載のトロンボーンのスライド位置インジケータデバイス。
【請求項４３】
つまみねじが、さらに第２の固定側部材に通され、浮動部材の他側のねじなしポケットに嵌合する、請求項４２に記載のトロンボーンのスライド位置インジケータデバイス。
【請求項４４】
第１のつまみねじ及び第２のつまみねじが、ロッド装着金具及びスライド位置ロッドの変位及びヨーを調節するようにさらに構成される、請求項４２に記載のトロンボーンのスライド位置インジケータデバイス。
【請求項４５】
つまみねじが、ロッド装着金具の前部のねじなし孔を貫通し、前記つまみねじが、さらに円形クリップに通され、浮動部材のねじ孔にねじ込まれる、請求項４２に記載のトロンボーンのスライド位置インジケータデバイス。
【請求項４６】
つまみねじが、ロッド装着金具の後部に通され、浮動部材のねじなしポケットに嵌合し、前記つまみねじが、さらに前記ロッド装着金具及びスライド位置ロッドの変位及びピッチを調節するように構成される、請求項４２に記載のトロンボーンのスライド位置インジケータデバイス。
【請求項４７】
スライド位置インジケータが、固定された、又はスライド位置ロッドに沿って調節可能な可視リング又はバンドを含む、請求項１に記載のトロンボーンのスライド位置インジケータデバイス。
【請求項４８】
ポインタ特徴部をさらに含み、ユーザが、あるスライド位置インジケータが前記ポインタ特徴部に位置合わせされたときに気付くことができる、請求項４７に記載のトロンボーンのスライド位置インジケータデバイス。
【請求項４９】
ロッド装着金具が、後取付具にスナップ嵌めすることができ、容易に分解することのできるフォーク設計である、請求項４８に記載のトロンボーンのスライド位置インジケータデバイス。
【請求項５０】
請求項１〜４９のいずれかに記載のトロンボーンのスライド位置インジケータデバイスと、演算デバイスと、トロンボーンのスライド位置情報を前記演算デバイスに通信するための通信インターフェースとを含む、トロンボーンのスライド位置を示すためのシステム。
【請求項５１】
演算デバイスが、デスクトップアプリケーション、モバイルアプリ、及び／又はトロンボーンのスライド位置インジケータからの情報を処理するための他のソフトウェア若しくはハードウェアを含む、請求項５０に記載のシステム。
【発明の詳細な説明】
【技術分野】
【０００１】
関連出願の相互参照
本開示の主題は、その開示全体が参照により本明細書に組み込まれている、「Device and Methodology to Indicate Trombone Positions」と題する２０１６年３月１４日に出願した米国仮特許出願第６２／３０７，６８９号に関連する。
【０００２】
本開示の主題は、一般に、楽器教授法の指導、学習、及び改善の分野に関し、より詳細には、トロンボーンのスライド位置を示すためのデバイス、システム、及び方法に関する。
【背景技術】
【０００３】
楽器の演奏を学ぶことは、生徒にとってなじみのない形で、多くの新しい技能を発展させ、続いてそれを統合することを伴う。楽器の技巧に関連する新しい感覚運動技能を学ばなければならない。認知技能も学ばなければならず、これには特に、複雑な新しい記号言語及び聴覚言語を学ぶことが含まれる。これらの技能をすべてリアルタイムで統合して吸収すると同時に、生徒の感情的な音楽表現によって駆使しなければならない。最終的に、音楽を生み出すことは、人の感覚運動の協調、認知、及び感情的自己を同時に組み合わせた産出の表現であると言うことができる（すなわち、技法＋人間の表現＝芸術）。これらの技術的技能を流れるように統合して使いこなすと、芸術家は感情的自己にあるものをすべて自由に伝える又は表現することができる。
【０００４】
音楽の分野において、トロンボーンは、ピアノ又はサキソフォンなどの他の楽器と比べて比較的長い学習曲線を有するものと知られている。これは、トロンボーンを演奏する際にその設計によって生じる固有の難しさがあることによる。第１に、トロンボーンは金管楽器である。根本的に、金管楽器は、呼気の呼吸筋を使って唇を振動させることにより音を出す。これは他の楽器群には当てはまらない。音質、ピッチ、音域、及び正確さのすべてに、口腔及び喉の相対的な大きさの制御と共に、大きい呼息筋群と相対的にはるかに小さい口輪筋、頬、及び他の顔筋（アンブシュア（embouchure））との協調が必要とされる。楽音の出始めや楽音の長さの特徴は、舌と呼吸筋との協調作用によって達成される。これは、音楽的にはアーティキュレーションと呼ばれ、話すことにやや類似しているが、正確なピッチで演奏する（すなわち「調和して演奏する」）のに必要な技能の発展及び統合のためのさらなる努力が必要である。
【０００５】
楽器の演奏を学ぶ難しさに影響を与えるトロンボーンの第２の側面は、その設計である。あまり認識されていないが、この楽器を、特に子ども及び／又は手の小さい人若しくは手の弱い人が適切に持つことは特に難しい。アンブシュア張力、したがって、ピッチは、直接的なマウスピースの圧力により影響を受けるため、演奏中に楽器を不安定に又は一貫性なく持つと、ピッチが変動する。したがって、適切に持たないと、ある技能の発展が妨げられる。
【０００６】
トロンボーンはスライドベースの操作システムを使用する唯一の金管楽器であるため、トロンボーンの設計も演奏の難しさに影響を与える。トロンボーン以外のすべての普通の金管楽器は、バルブを使用して様々な長さの管を空気路に追加することにより、所望のピッチを演奏する。このような追加される管の長さの正確さは、適切なバルブを完全に押し下げることのみによって本質的に「保証される」。トロンボーンが使用するピッチ制御システムは、はるかに単純なものであるが、位置がかなり任意であるため、学習し習得することがはるかに難しい。最初に設計され、一般的に具体化されているように、トロンボーンは、基本的に比較的長い伸縮管のＵ字形部分であるスライドにより、その範囲にわたって管の長さが無限に制御される。スライドには、所望のピッチを生み出すのにどのくらいの長さを追加すべきかに関する正確なフィードバックを与える直接的な機構がない。
【０００７】
一般的には、７つの基本的なトロンボーンのスライド「位置」が認識されており、これは、スライドの可動部のある部分をトロンボーンのベルのリム、及び通常「ストッキング」と呼ばれるスライドの固定部分の端の部分と比べた、目視基準によるおおよその距離とされる。演奏者は、最初にこれらのかなり任意の視覚的な手掛かりを使用して、長く退屈な育成プロセスでこれらの位置を学び、長い時間をかけて（通常５年〜１０年以上）、最終的に（例えば、自身の音のピッチを聞く能力を注意深く発展させ、自身の音を記憶したピッチ間隔及びピアノなどの他の楽器と比べることにより）聴覚フィードバックを組み込むことを学び、次いで、必要に応じてスライド位置を調節しなければならない。このプロセスが進むと、何年にもわたって常に繰り返し熱心に練習することにより、最終的に、ある形の記憶された手、腕、肩の位置が得られる。さらに、トロンボーンを演奏するときのピッチは、アンブシュア張力、呼気の力、さらにスライド位置によって直接影響を受け、これらの要素の各々が連続変数であるため、演奏者は、ピッチに関して正確に演奏するために、これらの変数のうちの１又は２以上を常にモニタリングしてわずかな調節を迅速に行う必要がある。したがって、最初、アンブシュアは、ある程度再現可能な正確さを発展させるのに（少なくとも）何年もかかり、その技能の発展後、生徒が自身のピッチを聞くことに集中し、他の基準と比較してさえも、ピッチの正確さは、ある程度習得するのに通常さらに長い年数を必要とする動く標的（moving target）である。典型的な熟練者でも、演奏中、測定可能な変位に関する正確さ及び再現性は、人間が機械でない限り常に変化している技能であり得る。
【０００８】
したがって、前述した教授法の要素のいずれかに一貫性をもたらす助けとなるものを導入すれば、トロンボーンの演奏を学ぶための学習曲線が短くなると予想される。
【発明の概要】
【課題を解決するための手段】
【０００９】
本開示の主題は、トロンボーンのスライド位置を示すためのデバイス、システム、及び方法に関する。すなわち、演奏家がトロンボーンを演奏するのを助けるために使用可能なトロンボーンのスライド位置インジケータが提供される。以下でさらに詳細に説明するように、トロンボーンのスライド位置インジケータの様々な実施形態が提供される。一実施形態において、視覚位置インジケータが使用される。別の実施形態において、磁気センサガイドが、視覚位置インジケータによって与えられる視覚フィードバックに触覚フィードバックを追加する。別の実施形態において、電子センサガイドが、リアルタイムの変位追跡を視覚及び触覚フィードバックに追加する。
【００１０】
一実施形態において、トロンボーンの外側スライドに対して固定位置に取り付けられたトロンボーンのスライド位置ロッドを含み、複数のスライド位置インジケータがスライド位置ロッドの長さに沿って設けられ、スライド位置インジケータの位置が、所与のトロンボーンのスライド位置に関連付けられたあるピッチ又は楽音に対応する、トロンボーンのスライド位置インジケータデバイスが提供される。他の実施形態において、デバイスは、外側スライドに取り付けられたセンサガイドをさらに含み、センサガイドは、外側スライドと共に、固定されたスライド位置ロッドに対して動き、センサガイドは、スライド位置ロッドに沿ったスライド位置インジケータのいずれかへの近接を検出する及び／又は示すための機構を含む。他の実施形態において、センサガイドは、磁力を使用して触覚インジケータを生じさせる。
【００１１】
他の実施形態において、センサガイドは、スライド位置ロッドに沿ったスライド位置インジケータのいずれかに近接して通るときに、ユーザに対して触覚的及び／又は視覚的な手掛かり（cue）を生じさせるように構成される。他の実施形態において、センサガイドは前取付具の上に接続される。他の実施形態において、スライド位置ロッドの近位端を保持するためのロッド装着金具が設けられ、ロッド装着金具は後取付具の上に接続される。他の実施形態において、スライドストップがスライド位置ロッドの遠位端に設けられる。他の実施形態において、スライド位置ロッドの長さに沿って設けられた複数のスライド位置インジケータは、最大で７つのスライド位置インジケータを含む。
【００１２】
他の実施形態において、トロンボーンは、ベル、チューニングスライド、ベルブレース、マウスピース、マウスピースレシーバ、スライドレシーバ、第１のスライドブレース、第２のスライドブレース、内側スライド、及び外側スライドを含む。他の実施形態において、後取付具はマウスピースレシーバ及び第１のスライドブレースに締結され、これにより、後取付具をマウスピースに対して固定位置に保持する。他の実施形態において、スライド位置ロッドの近位端を保持するロッド装着金具は後取付具に接続され、これにより、スライド位置ロッドをマウスピースに対して固定位置に保持する。他の実施形態において、前取付具は第２のスライドブレースで外側スライドに締結され、前取付具は、外側スライドと共にマウスピースに対して可動である。
【００１３】
他の実施形態において、スライド位置ロッドは、後取付具によって一端で支持され、センサガイドの中央部を貫通する。他の実施形態において、前取付具及び後取付具は、外側スライドに略平行なスライド位置ロッドを保持する。他の実施形態において、センサガイドは、ユーザがトロンボーンの演奏時に外側スライドを動かすときに、外側スライドの動きを妨げることなくスライド位置ロッドに沿って摺動するように構成される。
【００１４】
他の実施形態において、センサガイドは磁石をさらに含む。他の実施形態において、スライド位置ロッドは非強磁性の非磁気応答材料から形成される。他の実施形態において、スライド位置インジケータは強磁性の磁気応答材料から形成される。他の実施形態において、磁気応答スライド位置インジケータは、センサガイド内の磁石を通過するときに、ユーザに触覚フィードバックを与えるように構成され、触覚フィードバックは、磁気応答スライド位置インジケータが磁石の磁場に入った後に磁場から離れることによるわずかな瞬時の抵抗を含む。
【００１５】
他の実施形態において、スライド位置インジケータは磁石を含む。他の実施形態において、スライド位置ロッドは非強磁性の非磁気応答材料から形成される。他の実施形態において、センサガイドは強磁性の磁気応答材料から形成される。他の実施形態において、磁石を含むスライド位置インジケータは、磁気応答センサガイドがスライド位置インジケータを通るときに、ユーザに触覚フィードバックを与えるように構成され、触覚フィードバックは、磁気応答センサガイドが磁石の磁場に入った後に磁場から離れることによるわずかな瞬時の抵抗を含む。
【００１６】
他の実施形態において、７つのスライド位置インジケータが、スライド位置ロッドに沿って、あるピッチ又は楽音に略対応する位置に設けられる。他の実施形態において、ロッド装着金具から順に、第１のスライド位置インジケータは、第１のトロンボーンのスライド位置に関連するピッチ又は楽音に対応し、第２のスライド位置インジケータは、第２のトロンボーンのスライド位置に関連するピッチ又は楽音に対応し、第３のスライド位置インジケータは、第３のトロンボーンのスライド位置に関連するピッチ又は楽音に対応し、第４のスライド位置インジケータは、第４のトロンボーンのスライド位置に関連するピッチ又は楽音に対応し、第５のスライド位置インジケータは、第５のトロンボーンのスライド位置に関連するピッチ又は楽音に対応し、第６のスライド位置インジケータは、第６のトロンボーンのスライド位置に関連するピッチ又は楽音に対応し、第７のスライド位置インジケータは、第７のトロンボーンのスライド位置に関連するピッチ又は楽音に対応する。他の実施形態において、スライドを一番奥まで入れた第１のトロンボーンのスライド位置に対し、第１のトロンボーンのスライド位置から第２のスライド位置インジケータまでの距離は約３．２５インチ、第１のトロンボーンのスライド位置から第３のスライド位置インジケータまでの距離は約６．７５インチ、第１のトロンボーンのスライド位置から第４のスライド位置インジケータまでの距離は約１０．５インチ、第１のトロンボーンのスライド位置から第５のスライド位置インジケータまでの距離は約１４．５インチ、第１のトロンボーンのスライド位置から第６のスライド位置インジケータまでの距離は約１８．７５インチ、第１のトロンボーンのスライド位置から第７のスライド位置インジケータまでの距離は約２３．２５インチである。他の実施形態において、複数のスライド位置インジケータの位置は、固定されているか、又はスライド位置ロッドに沿って調節可能である。
【００１７】
他の実施形態において、前取付具は、トロンボーンの第２のスライドブレースに留めるための第１の装着クリップと、トロンボーンの外側スライドに留めるための第２の装着クリップとを支持するブラケットであり、装着クリップは取り外し可能である。他の実施形態において、センサガイドは前取付具と一体化される。
【００１８】
他の実施形態において、センサガイドは、スライド位置ロッドを摺動可能に支持する１組の軸受を含む。他の実施形態において、センサガイドは、磁石の端部がスライド位置ロッドに近接するように磁石を保持するための管部材を含む。他の実施形態において、スライド位置ロッドは磁石の磁場内にある。他の実施形態において、後取付具は、トロンボーンの第１のスライドブレースに留めるための第１の装着クリップと、トロンボーンのマウスピースレシーバに留めるための第２の装着クリップとを支持するブラケットである。他の実施形態において、装着クリップは取り外し可能である。
【００１９】
他の実施形態において、ロッド装着金具は割出しボールジョイントを含み、割出しボールジョイントはソケットに嵌入するボールを含む。他の実施形態において、ソケット側のスロットは、ボールのガイドピンに嵌合する。他の実施形態において、ガイドピンはスライド位置ロッドを半径方向に位置合わせして、スライド位置インジケータがセンサガイドの磁石と位置合わせされ、磁石を通過するようにする。他の実施形態において、ロッド装着金具はスイベルジョイントを含む。他の実施形態において、スロットがスライド位置ロッドに設けられ、非強磁性の非磁気応答スラグがスロットに設けられ、強磁性の磁気応答機械ねじがさらにスラグにねじ込まれ、これによりスライド位置インジケータを形成する。他の実施形態において、スラグ及び機械ねじの位置はスロットに沿って調節可能である。他の実施形態において、ロッド装着金具を受ける後取付具の頂部は、第１の固定側部材と、第２の固定側部材と、第１の固定側部材及び第２の固定側部材の間に配置された浮動部材とを含む。
【００２０】
他の実施形態において、第１のつまみねじ及び第２のつまみねじが、第１の固定側部材に通され、浮動部材の一側のねじなしポケットに嵌合する。他の実施形態において、つまみねじが、第２の固定側部材に通され、浮動部材の他側のねじなしポケットに嵌合する。他の実施形態において、第１のつまみねじ及び第２のつまみねじは、ロッド装着金具及びスライド位置ロッドの変位及びヨーを調節するように構成される。他の実施形態において、つまみねじが、ロッド装着金具の前部のねじなし孔を貫通し、つまみねじは、さらに円形クリップに通され、浮動部材のねじ孔にねじ込まれる。他の実施形態において、つまみねじが、ロッド装着金具の後部に通され、浮動部材のねじなしポケットに嵌合し、つまみねじは、さらにロッド装着金具及びスライド位置ロッドの変位及びピッチを調節するように構成される。
【００２１】
他の実施形態において、スライド位置インジケータは、固定された、又はスライド位置ロッドに沿って調節可能な可視リング又はバンドを含む。他の実施形態において、デバイスは、ポインタ特徴部をさらに含み、ユーザは、あるスライド位置インジケータがポインタ特徴部に位置合わせされたときに気付くことができる。他の実施形態において、ロッド装着金具は、後取付具にスナップ嵌めすることができ、容易に分解することのできるフォーク設計である。
【００２２】
他の実施形態において、本明細書に記載のトロンボーンのスライド位置インジケータのいずれかと、演算デバイスと、トロンボーンのスライド位置情報を演算デバイスに通信するための通信インターフェースとを含む、トロンボーンのスライド位置を示すためのシステムが提供される。他の実施形態において、演算デバイスは、デスクトップアプリケーション、モバイルアプリ、及び／又はトロンボーンのスライド位置インジケータからの情報を処理するための他のソフトウェア若しくはハードウェアを含む。
【００２３】
本開示の主題により全体的又は部分的に対処する、本開示の主題のある態様について上記で説明したが、本明細書の以下で最適に説明する添付の例に関連して説明を続けると、他の態様が明らかになろう。
【図面の簡単な説明】
【００２４】
本発明は、以下の図面を参照することにより、さらによく理解することができる。図中の構成要素は必ずしも縮尺通りではなく、本発明の原理を説明することに重点が置かれる。図中、同様の参照符号は、異なる図面を通して対応する部分を指す。
【図１】トロンボーンのスライド位置インジケータの動作が触覚インジケータに基づく、本開示のトロンボーンのスライド位置インジケータの例の側面図である。
【図２】標準的なトロンボーンに設置された本開示のトロンボーンのスライド位置インジケータの例の側面図である。
【図３−４】トロンボーンのスライド位置インジケータの動作が触覚インジケータに基づく、本開示のトロンボーンのスライド位置インジケータの例の斜視図である。
【図５】トロンボーンのスライド位置インジケータの動作が触覚インジケータに基づく、本開示のトロンボーンのスライド位置インジケータの別の例の斜視図である。
【図６】本開示のトロンボーンのスライド位置インジケータのさらに別の例の斜視図である。
【図７】図６に示すトロンボーンのスライド位置インジケータのスライド位置ロッドの一部の斜視図である。
【図８】図６に示すトロンボーンのスライド位置インジケータのセンサガイドの斜視図である。
【図９】図６に示すトロンボーンのスライド位置インジケータのセンサガイドの端面図である。
【図１０Ａ−１０Ｂ】本開示のトロンボーンのスライド位置インジケータの後取付具の別の構成の様々な図である。
【図１１】トロンボーンのスライド位置インジケータの動作が視覚インジケータに基づく、本開示のトロンボーンのスライド位置インジケータのさらに別の例の斜視図である。
【図１２】本開示のトロンボーンのスライド位置インジケータを使用する方法の例のフローチャートである。
【図１３】本開示のトロンボーンのスライド位置インジケータから演算デバイスにスライド位置を送信するためのシステムの例のブロック図である。
【発明を実施するための形態】
【００２５】
以下で、本開示の主題についてより完全に説明する。全体を通して、同様の数字は同様の要素を示す。本開示の主題は多くの異なる形態で具体化することができ、本明細書で説明する実施形態に限定されるものと解釈すべきではない。むしろ、これらの実施形態は、本開示が適用可能な法的要件を満たすように提示される。実際には、本明細書で説明する本開示の主題の多くの修正及び他の実施形態が、上記説明で示す教示の恩恵を受ける、本開示の主題に関連する当業者により想起されるだろう。したがって、本開示の主題は開示された特定の実施形態に限定されず、修正及び他の実施形態が添付の特許請求の範囲内に含まれるものであることを理解されたい。
【００２６】
本開示の主題は、トロンボーンのスライド位置を示すためのデバイス、システム、及び方法に関する。すなわち、演奏家がトロンボーンを演奏するのを助けるために使用可能なトロンボーンのスライド位置インジケータが提供される。例えば、トロンボーンのスライド位置インジケータは、従来のスライドトロンボーンの位置ごとに独立した視覚及び／又はニューロメカニカルな触覚フィードバックを与えることができる。この視覚及び／又は触覚フィードバックは、適切な使用方法と共に、学習と習得が特に難しいトロンボーン特有の重要な要因に対処する。
【００２７】
以下でさらに詳細に説明するように、トロンボーンのスライド位置インジケータの様々な実施形態が提供される。一実施形態において、視覚位置インジケータが使用される。別の実施形態において、磁気センサガイドが、視覚位置インジケータによって与えられる視覚フィードバックに触覚フィードバックを追加する。別の実施形態において、電子センサガイドが、リアルタイムの変位追跡を視覚及び触覚フィードバックに追加する。
【００２８】
一部の実施形態において、トロンボーンのスライド位置インジケータは、トロンボーンの外側スライドに対して固定位置に取り付けられたスライド位置ロッドを含む。さらに、複数の（例えば、７つの）スライド位置インジケータがスライド位置ロッドの長さに沿って設けられ、スライド位置インジケータの位置は、あるピッチ又は楽音に対応する。センサガイドが外側スライドに取り付けられ、センサガイドは、外側スライドと共に、固定されたスライド位置ロッドに対して動く。センサガイドは、スライド位置ロッドに沿ったスライド位置インジケータのいずれかへの近接を検出する及び／又は示すための機構を含む。一例では、センサガイドは、磁力を使用して触覚インジケータを生じさせる。トロンボーンを演奏するとき、センサガイドがスライド位置ロッドに沿ってスライド位置インジケータのいずれかに近接して通ると、触覚的及び／又は視覚的な手掛かりがユーザに与えられる。そうすると、ユーザは、トロンボーンのスライド位置インジケータなしでトロンボーンを演奏するときと比べて、あるピッチ又は楽音についての正確なスライド位置をより迅速に認識し学ぶことができる。
【００２９】
一部の実施形態において、本開示のトロンボーンのスライド位置インジケータからいずれかの演算デバイスにスライド位置を送信するためのシステムが提供され、演算デバイスは、デスクトップアプリケーション、モバイルアプリ、及び／又はトロンボーンのスライド位置インジケータからの情報を処理するための他のソフトウェア若しくはハードウェアを含む。
【００３０】
次に参照する図１は、トロンボーンのスライド位置インジケータ１００の動作が触覚インジケータに基づく、本開示のトロンボーンのスライド位置インジケータ１００の例の側面図である。トロンボーンのスライド位置インジケータ１００は、センサガイド１１２に関連するスライド位置ロッド１１０を含む。すなわち、スライド位置ロッド１１０はセンサガイド１１２を貫通し、センサガイド１１２はスライド位置ロッド１１０に沿って摺動することができる。センサガイド１１２は、前取付具１１４の上に接続される。さらに、スライド位置ロッド１１０の近位端を保持するためのロッド装着金具１１６が設けられ、ロッド装着金具１１６は後取付具１１８の上に接続される。さらに、スライドストップ１２０がスライド位置ロッド１１０の遠位端に設けられる。複数のスライド位置インジケータ１２２が、スライド位置ロッド１１０の長さに沿って設けられる。例えば、６〜７つのスライド位置インジケータ１２２をスライド位置ロッド１１０に沿って設けることができる。
【００３１】
次に参照する図２は、トロンボーン２００に設置された本開示のトロンボーンのスライド位置インジケータ１００の例の側面図である。トロンボーン２００は標準的なトロンボーンであってよい。４つの基本タイプ／サイズのトロンボーン、すなわち、アルト、スモールボアテナー、ラージボアテナー、及びバスがある。トロンボーン２００は、これらのタイプ／サイズのいずれかであってよい。一般に、トロンボーン２００は、ベル２１０、チューニングスライド２１２、ベルブレース２１４、マウスピース２１６、マウスピースレシーバ２１８、スライドレシーバ２２０、第１のスライドブレース２２２、第２のスライドブレース２２４、内側スライド２２６、及び外側スライド２２８を含む。図２はまた、トロンボーンのスライド位置インジケータ１００が設置されたトロンボーン２００をユーザ２０５が演奏する様子を示す。
【００３２】
本開示のトロンボーンのスライド位置インジケータ１００では、後取付具１１８が、マウスピースレシーバ２１８及び第１のスライドブレース２２２に締結される。したがって、後取付具１１８は、例えば、マウスピース２１６に対して固定位置に保持される。同様に、スライド位置ロッド１１０の近位端を保持しているロッド装着金具１１６が後取付具１１８に接続されるため、スライド位置ロッド１１０は、例えば、マウスピース２１６に対して固定位置に保持される。一方、前取付具１１４は、第２のスライドブレース２２４で外側スライド２２８に締結される。したがって、前取付具１１４は、外側スライド２２８と共に、例えば、マウスピース２１６に対して可動である。さらに、スライド位置ロッド１１０は、後取付具１１８により一端で支持され、センサガイド１１２の中央部を貫通する。したがって、前取付具１１４及び後取付具１１８は、外側スライド２２８に略平行なスライド位置ロッド１１０を保持する。さらに、ユーザ２０５がトロンボーン２００の演奏時に外側スライド２２８を動かすときに、センサガイド１１２は、外側スライド２２８の動きを妨げることなく、スライド位置ロッド１１０に沿って摺動可能である。
【００３３】
次に再び図１を参照すると、一例では、センサガイド１１２は磁石１２４（図１及び図２では見えない。図３〜図９参照）を含むことができる。さらに、スライド位置ロッド１１０は、限定されないが、プラスチック、アルミニウムなどの非強磁性の非磁気応答材料から形成される。一方、スライド位置インジケータ１２２は、限定されないが、鉄、鋼などの強磁性の磁気応答材料から形成される。動作時に、磁気応答スライド位置インジケータ１２２のいずれかがセンサガイド１１２内の磁石１２４を通過すると、ユーザ２０５は、磁気応答スライド位置インジケータ１２２が磁石１２４の磁場に入った後に磁場から離れることによるわずかな瞬時の抵抗を感じる。このようにして、トロンボーンのスライド位置インジケータ１００は、触覚インジケータをユーザ２０５に提供する。
【００３４】
別の例では、構成が逆になる。例えば、スライド位置インジケータ１２２が磁石であり、センサガイド１１２内の部材が、限定されないが、鉄、鋼などの強磁性の磁気応答材料から形成される。先の構成と同様に、磁気スライド位置インジケータ１２２のいずれかがセンサガイド１１２内の磁気応答部材を通過すると、ユーザ２０５は、磁気応答部材が磁気スライド位置インジケータ１２２の磁場に入った後に磁場から離れることによるわずかな瞬時の抵抗を感じる。
【００３５】
一例では、７つのスライド位置インジケータ１２２が、スライド位置ロッド１１０に沿って、あるピッチ又は楽音に略対応する位置に設けられる。すなわち、ロッド装着金具１１６から順に、第１のスライド位置インジケータ１２２は、第１のトロンボーンのスライド位置に関連するピッチ又は楽音に対応し、第２のスライド位置インジケータ１２２は、第２のトロンボーンのスライド位置に関連するピッチ又は楽音に対応し、第３のスライド位置インジケータ１２２は、第３のトロンボーンのスライド位置に関連するピッチ又は楽音に対応し、第４のスライド位置インジケータ１２２は、第４のトロンボーンのスライド位置に関連するピッチ又は楽音に対応し、第５のスライド位置インジケータ１２２は、第５のトロンボーンのスライド位置に関連するピッチ又は楽音に対応し、第６のスライド位置インジケータ１２２は、第６のトロンボーンのスライド位置に関連するピッチ又は楽音に対応し、第７のスライド位置インジケータ１２２は、第７のトロンボーンのスライド位置に関連するピッチ又は楽音に対応する。
【００３６】
一例では、スライドが一番奥にある第１のトロンボーンのスライド位置に対し、第１のトロンボーンのスライド位置から第２のスライド位置インジケータ１２２までの距離は約３．２５インチ、第１のトロンボーンのスライド位置から第３のスライド位置インジケータ１２２までの距離は約６．７５インチ、第１のトロンボーンのスライド位置から第４のスライド位置インジケータ１２２までの距離は約１０．５インチ、第１のトロンボーンのスライド位置から第５のスライド位置インジケータ１２２までの距離は約１４．５インチ、第１のトロンボーンのスライド位置から第６のスライド位置インジケータ１２２までの距離は約１８．７５インチ、第１のトロンボーンのスライド位置から第７のスライド位置インジケータ１２２までの距離は約２３．２５インチである。さらに、複数のスライド位置インジケータ１２２の位置は、固定されていても、スライド位置ロッド１１０に沿って調節可能であってもよい。
【００３７】
以下で、図３〜図１１を参照しながら、本開示のトロンボーンのスライド位置インジケータ１００の例のさらなる詳細について図示し説明する。
【００３８】
次に参照する図３及び図４は、トロンボーンのスライド位置インジケータ１００の動作が触覚インジケータに基づく、本開示のトロンボーンのスライド位置インジケータ１００の例の斜視図である。この例では、スライド位置ロッド１１０を成形プラスチックから形成することができ、スライド位置インジケータ１２２は鉄又は鋼リングであってよく、鉄又は鋼リングは、固定されていても、スライド位置ロッド１１０に沿って調節可能であってもよい。さらに、センサガイド１１２、前取付具１１４、及び後取付具１１８は、成形プラスチックから形成される。
【００３９】
前取付具１１４は、トロンボーン２００の第２のスライドブレース２２４に留めるための第１の装着クリップ１１５と、トロンボーン２００の外側スライド２２８に留めるための第２の装着クリップ１１５とを支持するブラケットであり、装着クリップ１１５は取り外し可能である。センサガイド１１２は前取付具１１４と一体化される。さらに、センサガイド１１２は、スライド位置ロッド１１０を摺動可能に支持する１組の軸受１３０（例えば、玉軸受又はころ軸受）を含む。加えて、センサガイド１１２は、磁石１２４の端部がスライド位置ロッド１１０に近接するように磁石１２４を保持するための管部材１２５を含む。すなわち、スライド位置ロッド１１０は、磁石１２４の磁場内にある。
【００４０】
後取付具１１８は、トロンボーン２００の第１のスライドブレース２２２に留めるための第１の装着クリップ１１９と、トロンボーン２００のマウスピースレシーバ２１８に留めるための第２の装着クリップ１１９とを支持するブラケットであり、装着クリップ１１９は取り外し可能である。取り外し可能かつ交換可能な装着クリップ１１５、１１９は、異なるトロンボーンの様々な管径に適応し、トロンボーンのスライド位置インジケータ１００を迅速かつ安全に取り付け、取り外す。
【００４１】
この例では、ロッド装着金具１１６は、割出しボールジョイント１６０、すなわちスイベル機構を介して実装される。例えば、図４の詳細Ａは、割出しボールジョイント１６０がソケット１６４に嵌入するボール１６２を含むことを示す。割出しボールジョイント１６０は、ロッドの角度に対する小さい垂直及び水平変位に適応する。このような変位は、側部位置範囲全体にわたって非常に平滑な滑りを確保するのに必要である。ここで図４を参照すると、ソケット１６４側のスロット１６６は、ボール１６２のガイドピン１６８に嵌合し、これにより、スライド位置ロッド１１０が装着されたときに、スライド位置ロッド１１０が確実に正しく半径方向に向けられる。スライド位置ロッド１１０は、ボール／ロッドアセンブリをソケット１６４にスナップ留めすることによって装着され、ガイドピン１６８はスライド位置ロッド１１０を半径方向に位置合わせして、スライド位置インジケータ１２２がセンサガイド１１２の磁石１２４と位置合わせされ、磁石１２４を通過するようにする。すなわち、割出しボールジョイント１６０は、垂直及び水平の両方に旋回可能なロッド接続をもたらして、非常に精密な公差及び位置合わせがあっても結合しないようにする。
【００４２】
さらに、図３及び図４に示すトロンボーンのスライド位置インジケータ１００により、トロンボーン２００及びトロンボーンのスライド位置インジケータ１００をケースに入れるための取り外しが非常に単純で容易になる。ボール１６２はソケット１６４にスナップ嵌めされ、センサガイド１１２を通り抜ける。この例では、トロンボーンのスライド位置インジケータ１００をトロンボーン２００から取り外すプロセスは、（１）スライド位置ロッド１１０のボール１６２の端部をソケット１６４からセンサガイド１１２を通して引き抜いた後、スライド位置ロッド１１０をトロンボーンのケース内のクリーニングロッドの隣に入れるステップと、（２）前取付具１１４及び後取付具１１８の両方を、装着クリップ１１５、１１９によりトロンボーン２００から引き離すステップとを含む。前取付具１１４及び後取付具１１８は、非常に小さく軽量で頑丈であるため、ケース内のどこにでも放り込むことができる。
【００４３】
次に参照する図５は、トロンボーンのスライド位置インジケータ１００の動作が触覚インジケータに基づく、本開示のトロンボーンのスライド位置インジケータ１００の別の例の斜視図である。この例は、割出しボールジョイント１６０の代わりにスイベルジョイント１７０を用いることを除いて、図３及び図４に示すトロンボーンのスライド位置インジケータ１００と略同じである。割出しボールジョイント１６０と同様に、スイベルジョイント１７０は、垂直及び水平の両方に旋回可能なロッド接続をもたらして、非常に精密な公差及び位置合わせがあっても結合しないようにする。
【００４４】
次に参照する図６、図７、図８、及び図９は、本開示のトロンボーンのスライド位置インジケータ１００のさらに別の例を示す。ここでも、前取付具１１４は、トロンボーン２００の第２のスライドブレース２２４で外側スライド２２８に締結され、後取付具１１８は、マウスピースレシーバ２１８及び第１のスライドブレース２２２に締結される。この例では、図７をここで参照すると、各スライド位置インジケータ１２２を実装するために、スロット１２６がスライド位置ロッド１１０に設けられる。その後、非強磁性の非磁気応答スラグ１２８（例えば、プラスチックスラグ１２８）がスロット１２６内に設けられる。そして、強磁性の磁気応答機械ねじ１２２の形のスライド位置インジケータ１２２が、スラグ１２８にねじ込まれる。スラグ１２８及び機械ねじ１２２の位置は、スロット１２６に沿って調節可能であり、これにより、トロンボーンのスライド位置標示の正確な調節が可能になる。
【００４５】
この例では、図７、図８、及び図９を参照すると、センサガイド１１２の別の例の側面図、斜視図、及び端面図が示される。すなわち、図７、図８、及び図９は、スライド位置ロッド１１０及びスライド位置ロッド１１０に近接して配置された磁石１２４を摺動可能に支持するための軸受１３０（例えば、玉軸受又はころ軸受）の配置を示す。
【００４６】
図１０Ａ及び図１０Ｂは、本開示のトロンボーンのスライド位置インジケータ１００の後取付具１１８の別の構成の様々な図である。この例では、ロッド装着金具１１６は金属又はプラスチック部材であってよい。ロッド装着金具１１６を受ける後取付具１１８の頂部は、第１の固定側部材１４０と、第２の固定側部材１４２と、第１の固定側部材１４０及び第２の固定側部材１４２の間に配置された浮動部材１４４とを含む。
【００４７】
第１のつまみねじ１４６及び第２のつまみねじ１４８が、第１の固定側部材１４０に通され、浮動部材１４４の一側のねじなしポケットに嵌合する。同様に、つまみねじ１５０が、第２の固定側部材１４２に通され、浮動部材１４４の他側のねじなしポケットに嵌合する。第１のつまみねじ１４６及び第２のつまみねじ１４８を使用して、ロッド装着金具１１６及びスライド位置ロッド１１０の変位及びヨーを調節することができる。つまみねじ１５０を使用して、ロッド装着金具１１６及びスライド位置ロッド１１０を取り外すことができる。
【００４８】
つまみねじ１５２が、ロッド装着金具１１６の前部のねじなし孔を貫通する。その後、つまみねじ１５２は、円形クリップ１５３に通され、浮動部材１４４のねじ孔にねじ込まれる。つまみねじ１５４が、ロッド装着金具１１６の後部に通され、浮動部材１４４のねじなしポケットに嵌合する。つまみねじ１５２及びつまみねじ１５４を使用して、ロッド装着金具１１６及びスライド位置ロッド１１０の変位及びピッチを調節することができる。
【００４９】
図１１は、トロンボーンのスライド位置インジケータ１００の動作が視覚インジケータに基づく、本開示のトロンボーンのスライド位置インジケータ１００のさらに別の例の斜視図である。この例は、磁石ベースのセンサガイド１１２の代わりに目視ベースのガイド１８０を用いることを除いて、図３及び図４に示すトロンボーンのスライド位置インジケータ１００と略同じである。この例では、スライド位置インジケータ１２２は、固定された、又はスライド位置ロッド１１０に沿って調節可能な可視リング又はバンドであってよい。目視ベースのガイド１８０はポインタ特徴部１８２を有し、ユーザ２０５は、あるスライド位置インジケータ１２２がポインタ特徴部１８２に位置合わせされたときに気付くことができる。
【００５０】
さらに、この例では、ロッド装着金具１１６は、後取付具１１８にスナップ嵌めすることができ、容易に分解することのできるフォーク設計である。例えば、フォーク状のロッド装着金具１１６の尖端を単に押しつぶすことにより後取付具１１８から解放する。その後、再びフォーク状のロッド装着金具１１６の尖端を押しつぶし、目視ベースのガイド１８０に引き通す。
【００５１】
図１２は、本開示のトロンボーンのスライド位置インジケータ１００を使用する方法３００の例のフローチャートである。方法３００は、限定されないが、以下のステップを含むことができる。
【００５２】
ステップ３１０で、トロンボーンのスライド位置インジケータ１００を設け、次いで標準的なトロンボーンに取り付ける。例えば、トロンボーンのスライド位置インジケータ１００を設け、次いで前取付具１１４及び後取付具１１８を使用してトロンボーン２００に取り付ける。
【００５３】
ステップ３１５で、トロンボーンを演奏しながら、トロンボーン２００の外側スライド２２８を動かし、対応するように、トロンボーンのスライド位置インジケータ１００のセンサガイド１１２をスライド位置ロッド１１０に沿って摺動可能に動かす。
【００５４】
ステップ３２０で、トロンボーンのスライド位置インジケータ１００のセンサガイド１１２を、スライド位置ロッド１１０上のあるスライド位置インジケータ１２２に近接させる。
【００５５】
ステップ３２５で、ユーザ２０５は、あるスライド位置インジケータ１２２に近接するトロンボーンのスライド位置インジケータ１００のセンサガイド１１２の存在を感知する。例えば、磁気応答スライド位置インジケータ１２２のいずれかがセンサガイド１１２内の磁石１２４を通過すると、ユーザ２０５は、磁気応答スライド位置インジケータ１２２が磁石１２４の磁場に入った後に磁場から離れることによるわずかな瞬時の抵抗を感じる。このようにして、トロンボーンのスライド位置インジケータ１００は、ユーザ２０５に触覚インジケータを提供する。他の例では、図１１に示すように、視覚的な手掛かりを設ける。
【００５６】
図１３は、本開示のトロンボーンのスライド位置インジケータ１００からいずれかの演算デバイスにスライド位置を送信するためのシステム４００の例のブロック図である。すなわち、ある電子機器を、センサガイド１１２を含む前取付具１１４に組み込むことができる。例えば、トロンボーンのスライド位置インジケータ１００は、位置センサ４１０、通信インターフェース４１２、電源４１４（例えば、バッテリ）を含むことができる。位置センサ４１０は、センサガイド１１２に近接するスライド位置インジケータ１２２を検知することができ、その信号標示を生じさせることのできる任意の検知デバイスであってよい。一例では、位置センサ４１０は光ベースのセンサである。
【００５７】
任意の電子検知デバイスを本発明で使用することができ、この電子検知デバイスとして、容量式センサ機構、ドップラ効果センサ機構、渦電流センサ機構、誘導性センサ機構、レーザ距離センサ機構、磁気センサ機構、受動光（ＣＣＤ）センサ機構、赤外線センサ機構、光電池センサ機構、レーダセンサ機構、ソナーセンサ機構、超音波センサ機構、光ファイバセンサ機構、及びホール効果センサ機構を使用するものが挙げられるが、これに限定されない。
【００５８】
通信インターフェース４１２は、ネットワーク（図示せず）に接続するための有線及び／又は無線通信インターフェースであってよく、これにより、ネットワークに接続された他のデバイスと情報を交換することができる。有線通信インターフェースの例として、ＵＳＢポート、ＲＳ２３２コネクタ、ＲＪ４５コネクタ、イーサネット、及びこれらの組合せが挙げられるが、これに限定されない。無線通信インターフェースの例として、イントラネット接続、インターネット、ＩＳＭ、ブルートゥース（登録商標）技術、ブルートゥース（登録商標）低エネルギー（ＢＬＥ）技術、Ｗｉ−Ｆｉ、Ｗｉ−Ｍａｘ、ＩＥＥＥ４０２．１１技術、ＺｉｇＢｅｅ技術、Ｚ−Ｗａｖｅ技術、６ＬｏＷＰＡＮ技術（すなわち、低電力無線エリアネットワークにわたるＩＰｖ６（６ＬｏＷＰＡＮ））、ＡＮＴ又はＡＮＴ＋（高度ネットワークツール）技術、無線周波数（ＲＦ）、赤外線通信協会（ＩｒＤＡ）対応プロトコル、ローカルエリアネットワーク（ＬＡＮ）、広域エリアネットワーク（ＷＡＮ）、共有ワイヤレスアクセスプロトコル（ＳＷＡＰ）、その組合せ、及び他のタイプの無線ネットワークプロトコルが挙げられるが、これに限定されない。
【００５９】
一例では、通信インターフェース４１２は、モバイルデバイスのモバイルアプリと通信するためのブルートゥース（登録商標）技術である。例えば、システム４００のユーザは、１又は２以上の演算デバイス４５０を有してよく、これを使用して、トロンボーンのスライド位置インジケータ１００と通信することができる。演算デバイス４５０は、任意のデスクトップコンピュータ、ラップトップコンピュータ、タブレットデバイス、携帯電話、スマートフォンなどであってよい。トロンボーンアプリ４５２が演算デバイス４５０上で動作する。トロンボーンアプリ４５２は、例えば、Ａｎｄｒｏｉｄ及びｉＯＳ用であってよい。一例では、演算デバイス４５０は、トロンボーンのスライド位置インジケータ１００と組み合わされると、振動するか又は音を発する。
【００６０】
トロンボーンアプリ４５２を使用して、情報を無線で（例えば、ブルートゥース（登録商標）技術を用いて）トロンボーンのスライド位置インジケータ１００から演算デバイス４５０に送信することができる。トロンボーンアプリ４５２は、トロンボーンのスライド位置インジケータ１００からの情報を処理し表示する能力を有する。
【００６１】
場合により、システム４００で、トロンボーンのスライド位置インジケータ１００は、より高度な能力を提供するためのコントローラ（図示せず）及びローカルデータ記憶装置（図示せず）を含むことができる。
【００６２】
再び図１〜図１３を参照すると、トロンボーンのスライド位置インジケータ１００は、磁石ベースの触覚インジケータ又は図１１に示す単純な視覚インジケータに限定されない。トロンボーンのスライド位置インジケータ１００は、可聴インジケータ（おそらく、トロンボーンアプリ４５２を使用しているスマートフォンを通して提供される）、振動に基づく触覚インジケータ（おそらく、トロンボーンアプリ４５２を使用しているユーザのポケット内のスマートフォンを通して提供される）、発光ダイオード（ＬＥＤ）を使用する視覚インジケータなどの他のタイプのインジケータを含むことができる。
【００６３】
本開示のトロンボーンのスライド位置インジケータ１００は、以下の特徴のうちの１つ、いくつか、又はすべてを含むことができる。
【００６４】
１．トロンボーンのスライド位置インジケータ１００を形成するハードウェアは、楽器の通常の操作又は「演奏」を妨げず、楽器の音色に影響を与えることもない。トロンボーンのスライド位置インジケータ１００が装着された楽器を演奏することによって、使用しにくくなることもなく、楽器の外観を損なうこともない。
【００６５】
２．トロンボーンのスライド位置インジケータ１００を形成するハードウェアは、特に外側（可動）スライドに取り付けられる部分が超軽量（例えば、４００グラム以下）であってよい。トロンボーンのスライド位置インジケータ１００は、演奏中にスライドの動きの加速及び減速を著しく妨げることがない。
【００６６】
３．トロンボーンのスライド位置インジケータ１００を形成するハードウェアは、スライドの動きに顕著な摩擦を加えることがない。
【００６７】
４．トロンボーンのスライド位置インジケータ１００を形成するハードウェアは、容易に設置することができ、迅速に着脱可能であるため、楽器をケースに入れやすく、便利な使用に役立つ。
【００６８】
５．トロンボーンのスライド位置インジケータ１００を形成するハードウェアにより、その位置センサの各々を独立して調節し、楽器ごとの変化に適応することができる。このような変化は大きいものであり得る。
【００６９】
６．ニューロメカニカルな触覚フィードバック（「触感」）の程度を、学習者の好みに合わせて調節可能にすることができる。
【００７０】
７．トロンボーンのスライド位置インジケータ１００の再現性及び正確さは、他の妥当な精密工業機構により期待される範囲内、おそらく±０．５ｍｍ又は±１ｍｍとすることができる。
【００７１】
８．トロンボーンのスライド位置インジケータ１００は、電子信号取得の追加（図１３のシステム４００参照）に対処するように設計され構成される。これにより、コンピュータに接続して、ソフトウェアにプログラムされた学習及び進歩の結果の測定を進めるためのソフトウェアモニタリングが可能になる。
【００７２】
９．トロンボーンのスライド位置インジケータ１００を形成するハードウェアは、大抵の初学者の乱暴な扱いに耐えるように十分頑丈にすることができる。
【００７３】
１０．実際には、トロンボーンは、すべての楽器に固有の音響の不完全性／非直線性に適応するように８以上の位置を有する。トロンボーンのスライド位置インジケータ１００の理想的な実施形態は、これらの「特別な場合」の位置のうちの少なくとも最も一般的なものを学習する能力を含む。
【００７４】
１１．トロンボーンのスライド位置インジケータ１００に、限定されないが、手順ガイド書、取扱説明ビデオ、及びコンピュータソフトウェアの形の「最適な使用」方法の教材を添付することができる。
【００７５】
１２．４つの基本サイズのトロンボーン、すなわち、アルト、スモールボアテナー、ラージボアテナー、及びバスがある。各サイズ区分内で、トロンボーンのスライド位置インジケータ１００の取付金具を取り付けるべき場所に、サイズ及び形状の差がある。トロンボーンのスライド位置インジケータ１００では、調節又は特殊用途部品により、かつ異なる取付方法を採用することにより、取付金具はすべてのトロンボーンに適応することができる。
【００７６】
一部の実施形態において、トロンボーンのスライド位置インジケータ１００を外付けの付属品として設けることができ、この付属品は、図２〜図９を参照して説明したように、少なくとも６つの調節可能なスライド位置インジケータと、スライドに装着されスライドと共に動く別個の軽量の調節可能な磁気ガイドとを提供し、非常に精密で特殊化した取付金具を含む。
【００７７】
他の実施形態において、トロンボーンのスライド位置インジケータ１００を、前述したように外付けの容易に着脱可能なデバイスとして設けることができるが、必要な取付金具が新しい楽器に恒久的に装着されて含まれており、取付金具部品は楽器の製造プロセス中に追加される。
【００７８】
さらに他の実施形態において、トロンボーンのスライド位置インジケータ１００を、外付けの付属品として設けることができ、この付属品は、少なくとも６つの調節可能な磁気位置センサと、スライドに装着されスライドと共に動く別個の軽量の調節可能な磁気ガイドとを提供し、非常に精密で特殊化した取付金具を含むと共に、ＬＥＤ及び／又はコンピュータ若しくはスマートフォンとの通信により直接的な視覚フィードバックの電子位置取得を追加することに対応し、容易に着脱可能なデバイスを含む。
【００７９】
長年の特許法の慣習に従い、「a（１つの）」、「an（１つの）」、「the（その）」という用語は、特許請求の範囲を含めて本出願で用いられた場合には「１又は２以上」を指す。このため、例えば、「主題（a subject）」に対する言及は、文脈上明らかに逆の意味（例えば複数の主題）を示す場合を除いて、複数の主題を含むなどとする。
【００８０】
本明細書及び特許請求の範囲を通して、「含む（comprise）」、「含む（comprises）」、及び「含む（comprising）」という用語は、文脈上他の意味に解すべき場合を除いて、非排他的な意味で用いられる。同様に、「有する（include）」という用語及びその文法的な変形は非限定的なものであり、何らかの項目の列挙は、列挙された項目に置換又は追加され得る他の同様の項目を排除するものではない。
【００８１】
本明細書及び添付の特許請求の範囲の目的のため、特に指示のない限り、本明細書及び特許請求の範囲で用いる量、大きさ、寸法、比率、形状、配合、パラメータ、百分率、数量、特性、及びその他の数値を表すあらゆる数は、その値、量、又は範囲と共に「約」という用語が明示的に現れない場合であっても、あらゆる場合に「約」という用語で修飾されるものと理解される。したがって、特に逆の意味が示されない限り、本明細書及び添付の特許請求の範囲に記載された数値パラメータは正確でなく、また正確である必要もなく、望ましい場合には、本開示の主題が達成しようとする所望の特性に応じて、公差、変換係数、丸め処理、測定誤差など、及び当業者に既知のその他のファクタを反映して、近似的なものである及び／又はより大きいか若しくは小さい場合がある。例えば、ある値を示す場合の「約」という用語は、指定された量から、ある実施形態では±１００％、ある実施形態では±５０％、ある実施形態では±２０％、ある実施形態では±１０％、ある実施形態では±５％、ある実施形態では±１％、ある実施形態では±０．５％、ある実施形態では±０．１％のばらつきを包含することが意図され得る。そのようなばらつきは、開示する方法の実行又は開示する組成の採用に適切なものである。
【００８２】
さらに、１又は２以上の数又は数値範囲と組み合わせて用いる場合の「約」という用語は、ある範囲内のすべての数を含むすべてのそのような数を指すものと理解され、記載した数値の上限及び下限を拡大することでその範囲を修飾する。終点による数値範囲の記述は、その範囲内に含まれる、例えば整数、その小数を含むあらゆる数を含み（例えば、１〜５という記述は、１、２、３、４、及び５、並びにそれらの小数、例えば１．５、２．２５、３．７５、４．１などを含む）、かつ、その範囲内のいかなる範囲も含む。
【００８３】
前述の主題について、理解を明確にするために例示としてある程度詳細に説明したが、添付の特許請求の範囲内において一定の変更及び修正を行ってもよいことを当業者は理解するだろう。
【図１】
2019517013.tif 000003
【図２】
2019517013.tif 000004
【図３】
2019517013.tif 000005
【図４】
2019517013.tif 000006
【図５】
2019517013.tif 000007
【図６】
2019517013.tif 000008
【図７】
2019517013.tif 000009
【図８】
2019517013.tif 000010
【図９】
2019517013.tif 000011
【図１０Ａ】
2019517013.tif 000012
【図１０Ｂ】
2019517013.tif 000013
【図１１】
2019517013.tif 000014
【図１２】
2019517013.tif 000015
【図１３】
2019517013.tif 000016
【国際調査報告】
2019517013.tif 000017
2019517013.tif 000018